(57)【要約】【課題】  本発明は、被検体の周囲の対向する位置に配設されたＸ線源とＸ線検出器とを被検体の周囲で相対的に回転させ、該回転の周方向の多数の位置で取得した被検体のＸ線透過像に基づいて該被検体の断層像を生成するＸ線ＣＴ装置を提供する。【解決手段】  本発明のＸ線ＣＴ装置は、水ファントムのＸ線透過像に基づいたキャリブレーションデータを取得し記憶する水キャリブレーションデータ記憶手段と、空気層のＸ線透過像に基づいたキャリブレーションデータを取得し記憶するエアキャリブレーションデータ記憶手段とを有し、これに加え所定の物体のＸ線透過像に基づいたキャリブレーションデータを取得し記憶する補助キャリブレーションデータ記憶手段を有している。このＸ線ＣＴ装置は、水キャリブレーションデータとエアキャリブレーションデータと補助キャリブレーションデータとを用いてキャリブレーション演算を行う。【選択図】    図３
2009142382.tif 000002
【特許請求の範囲】
【請求項１】
被検体の周囲の対向する位置に配設されたＸ線源とＸ線検出器とを被検体の周囲で相対的に回転させ、該回転の周方向の多数の位置で取得した被検体のＸ線透過像に基づいて該被検体の断層像を生成するＸ線ＣＴ装置であって、
Ｘ線透過像を取得可能な範囲内に配設された水ファントムのＸ線透過像に基づいたキャリブレーションデータを取得し記憶する水キャリブレーションデータ記憶手段と、
Ｘ線透過像を取得可能な範囲内の空気層のＸ線透過像に基づいたキャリブレーションデータを取得し記憶するエアキャリブレーションデータ記憶手段と、
Ｘ線透過像を取得可能な範囲内に配設された少なくとも一つの目的物体のＸ線透過像に基づいたキャリブレーションデータを取得し記憶する補助キャリブレーションデータ記憶手段と、
前記水キャリブレーションデータ記憶手段と前記エアキャリブレーションデータ記憶手段と前記補助キャリブレーションデータ記憶手段とから得られたキャリブレーションデータを用いてキャリブレーション演算を行う手段と、
を有するＸ線ＣＴ装置。
【請求項２】
前記補助キャリブレーションデータ記憶手段においてキャリブレーションデータを取得する目的物体は、前記Ｘ線ＣＴ装置に応じて予め検出可能な最大のＣＴ値以下のＣＴ値に相当する物体であり、前記最大のCT値とは、少なくともそれぞれのX線検出器およびX線源と、該X線検出器およびX線源の配置とに基づいて決定されることを特徴とする請求項１に記載のＸ線ＣＴ装置。
【請求項３】
前記補助キャリブレーション記憶手段においてキャリブレーションデータを取得する目的物体は、撮像目的の材質に相当するとして予め設定されたＣＴ値に近いＣＴ値である材質で構成される、ことを特徴とする請求項１に記載のＸ線ＣＴ装置。
【請求項４】
前記目的物体は、水に相当するCT値よりも大きいＣＴ値に相当する物体である、ことを特徴とする請求項２に記載のＸ線ＣＴ装置。
【請求項５】
前記目的物体が撮像目的の材質に相当するとして予め設定されたＣＴ値が複数存在するときには、該複数のＣＴ値それぞれに近いＣＴ値である材質の複数物体で構成される、ことを特徴とする請求項３に記載のＸ線ＣＴ装置。
【請求項６】
前記Ｘ線ＣＴ装置は歯科用Ｘ線ＣＴ装置であり、前記目的物体は、ハイドロキシアパタイト（水酸燐灰石）やアルミニウムを主成分とする物体またはCT撮影用造影剤で構成される、ことを特徴とする請求項３又は５のいずれか１項に記載のＸ線ＣＴ装置。
【発明の詳細な説明】
【技術分野】
【０００１】
本発明は、人体部位の断層像を撮像するＸ線ＣＴ装置に関する。
【背景技術】
【０００２】
近年、医療分野および歯科分野において３次元画像診断にニーズが高まっており、Ｘ線ＣＴ装置も広い医療領域で活用できるものが所望されている。とりわけ歯科分野では、インプラント治療に代表される歯科治療の高度化に伴い、３次元画像診断の必要性が高まっている。
【０００３】
一般にＸ線ＣＴ装置は、Ｘ線源とＸ線検出器とが対向配置された撮影領域内に被検体を侵入させ、Ｘ線源からＸ線ビームを照射して被検体透過後のX線強度をＸ線検出器で検出する。そして、被検体の周囲を回転しながら繰り返して各方向からの測定データ（生データ）を収集し、各測定データに畳み込み（コンボリューション）、逆投影（バックプロジェクション）等の処理を加えて画像の再構成を行う。このとき得られた画像データを予め取得されたキャリブレーションデータに基づいてＣＴ値に換算処理して画像表示する。
【０００４】
ここでＣＴ値について言及する。ＣＴ値は、生体組織のＸ線吸収係数の値を水を0とした相対値で表したもので、以下の式で求められる。  定数K＝１０００とした場合のＣＴ値はHounsfield Unit(HU)またはHounsfield  Numberと呼ばれ、医科用ＣＴで一般的に用いられており、以下の式で求められるものである。
ＣＴ値＝（μｔ−μｗ）／μｗ  ×  Ｋ
μｔ：  組織のＸ線吸収率に比例した値
μｗ：  水のＸ線吸収率に比例した値
Ｋ  ：  １０００
【０００５】
しかしながら、実際にＣＴ装置で撮影されたＸ線の透過データ（生データ）の対数はＸ線吸収率を示したデータであり、ＣＴ値として得るには予め水ファントムをスキャンしてキャリブレーションデータを求め、被検体を撮影した生データからキャリブレーションデータを用いて演算、すなわちキャリブレーション（水キャリブレーション）を行う必要がある。また、この水ファントムによるキャリブレーションでは、取得される値が比較的安定しており、かつ、その収集作業に時間を要するので頻繁に取り直しを行うのは困難である。そこで、一般的にはメーカにおけるメンテナンス時に水ファントムを用いてキャリブレーションを行い、通常は空気層のみを透過して得られるキャリブレーションデータ（エアキャリブレーションデータ）を求め、これらに基づいてキャリブレーションを行っている。換言すれば、従来のキャリブレーションでは、ＣＴ値の基準値として与えられている水＝ゼロ、空気＝−１０００のＣＴ値に相当する撮影データに基づいてキャリブレーションを行っていると言える。
【０００６】
このように通常、キャリブレーションでは水、空気の２つの撮影対象でのキャリブレーションデータに基づいてＸ線検出器のばらつきを補正し、画像再構成後に他の被検体部位におけるＸ線吸収率に対してＣＴ値を予測換算している。具体的には、空気のCT値をー１０００、水を０にすると、水の2倍のX線吸収係数を有する物質のＣＴ値は前式で明らかなように１０００となり、人体組織ではー１０００から１０００迄の範囲で充分であり、CT値として±１０００が用いられる。しかしながら、空気と水とのみで得られるキャリブレーションデータでのＣＴ値換算では、空気＝−１０００と水＝０の２点から大きく離れたＣＴ値の換算において誤差が多くなることが予想される。従来、医療分野におけるＣＴ撮影画像は内臓等の軟組織が中心であり、水および空気、特に水のＣＴ値から大きくかけ離れた部位を診断することが少なくこの点については特に認識されていなかった。
【０００７】
一方、Ｘ線ＣＴ装置は工業用のものとしても使用されており、この場合には主に、水、空気から大きく離れたＣＴ値に規定されるべき物体を撮影するが、特にＣＴ値の検出の誤差を検出結果における注目部分としていなかった。
【０００８】
これに対して近年、Ｘ線ＣＴ装置の使用ニーズが高まっている歯科診断においては上顎洞などの空気層からＣＴ値の大きな骨などまで正確に組織構成を診断する必要があり、従来の水、空気の２点キャリブレーションではＸ線吸収率の高い組織に近づくにつれ誤差が大きく、ＣＴ値によりこれに相当する組織を診断することが困難であることが知得されてきた。
【０００９】
また、医療分野においても心臓血管診断や内耳診断へのＸ線ＣＴ装置の活用が注目されてきており、正確なＣＴ値の測定と広範囲に亘るＣＴ値の測定の２つのニーズが高まってきており、既存のＸ線ＣＴ装置におけるキャリブレーションでは不十分であった。
【００１０】
【特許文献１】特開平４−３８９３７号公報
【発明の開示】
【発明が解決しようとする課題】
【００１１】
このような事情に鑑みて本発明のＸ線ＣＴ装置では、広範囲なＣＴ値を高精度に測定することができるＸ線ＣＴ装置、とりわけ歯科用ＣＴ装置を提供することを目的としている。
【課題を解決するための手段】
【００１２】
本発明のＸ線ＣＴ装置は、被検体の周囲の対向する位置に配設されたＸ線源とＸ線検出器とを被検体の周囲で相対的に回転させ、該回転の周方向の多数の位置で取得した被検体のＸ線透過像に基づいて該被検体の断層像を生成するＸ線ＣＴ装置である。この装置では、従来のＸ線ＣＴ装置でも要求されているＸ線透過像を取得可能な範囲内に配設された水ファントムのＸ線透過像に基づいたキャリブレーションデータを取得し記憶する水キャリブレーション記憶手段と、Ｘ線透過像を取得可能な範囲内の空気層のＸ線透過像に基づいたキャリブレーションデータを取得し記憶するエアキャリブレーションデータ記憶手段と、を有している。このキャリブレーションデータ記憶手段に加え、本発明のＸ線ＣＴ装置では、Ｘ線透過像を取得可能な範囲内に配設された目的物体のＸ線透過像に基づいたキャリブレーションデータを取得し記憶する補助キャリブレーションデータ記憶手段とが付加されている。
【００１３】
上記３つのキャリブレーションデータ手段、具体的には、水キャリブレーションデータ手段とエアキャリブレーションデータ手段と補助キャリブレーションデータ手段とから得られたキャリブレーションデータを用いて、本Ｘ線ＣＴ装置ではキャリブレーション演算を行っている。
【００１４】
また、Ｘ線ＣＴ装置では一般に、その性能および測定対象に応じて検出可能なＣＴ値の限界値があり、本発明の一のＸ線ＣＴ装置では、補助キャリブレーションデータ記憶手段においてキャリブレーションデータを取得する目的物体が、少なくともＸ線ＣＴ装置に応じて予め検出可能な最大のＣＴ値（以下、「許容ＣＴ値」と称する）以下のＣＴ値に相当する物体であり、最大のCT値とはそれぞれのX線検出器およびX線源と、X線検出器およびX線源の配置とに基づいて決定されることが好ましい。例えば、目的物体が０より大きく許容ＣＴ値以下のＣＴ値に相当する材質である。
【００１５】
また、本発明の他のＸ線ＣＴ装置では、補助キャリブレーションデータ手段においてキャリブレーションデータを取得する目的物体は、撮像目的の材質に相当するとして予め設定されたＣＴ値に近いＣＴ値である材質で構成されることが好ましい。また、目的物体が撮像目的の材質に相当するとして予め設定されたＣＴ値が複数存在するときには、該複数のＣＴ値それぞれに近いＣＴ値である材質の複数物体で構成しても良い。
【００１６】
さらに、本発明のＸ線ＣＴ装置の一例として歯科用Ｘ線ＣＴ装置の場合、目的物体の少なくとも１つは、骨のCT値に近いハイドロキシアパタイト（水酸燐灰石）やアルミニウムを主成分とする物体またはCT撮影用造影剤等で構成されることが好ましい。
【発明の効果】
【００１７】
従来、ＣＴ値算出の基本となる水および空気の２つの物質に基づくキャリブレーションデータにより撮影の生データを修正するキャリブレーションが行われていたが、本発明のＸ線ＣＴ装置によれば、水および空気以外の少なくとも１つの物質に基づくキャリブレーションデータを付加したキャリブレーションを行っている。これにより、水及び／又は空気の２点で行うキャリブレーションよりＣＴ値の誤差が少ない断層像を得ることができる。とりわけ、大きなＣＴ値に相当する物質におけるＣＴ値誤差を少なくすることができる。従って、被検体部位としての骨や歯、医療用および歯科用で使用される外部物質のようにＸ線吸収率が高い物質を含むＣＴ断層画像においても精緻なＣＴ値を検出させることが可能となる。
【００１８】
また、本発明の一のＸ線ＣＴ装置では、その装置の性能ごとに検出可能な限界の大きなＣＴ値（好ましくは限界の近傍のＣＴ値）に相当する材質の目的物体に基づいてキャリブレーションデータを取得する。ここで言う許容CT値は、X線検出器の感度とダイナミックレンジ(＝測定可能な範囲)、X線源に与える電圧・電流、X線検出器とX線源の距離等によって決定される。ただし、医療的な見地から前記決定される値よりも実際の設定値を小さくしても良い。
【００１９】
水のＣＴ値は０であり、空気のＣＴ値は−１０００であるため、この範囲内でＣＴ値の誤差があると−１０００〜０のＣＴ値の範囲では大きな誤差は生じないが、プラス方向に離れていく、許容CT値に近づくほど検出されるＣＴ値誤差を大きなものとなる。従って、一のＸ線ＣＴ装置では、単に水、空気、以外の他の目的物体に基づくキャリブレーションデータを取得するだけではなく、補助キャリブレーションの目的物体をプラス方向に大きなＣＴ値に相当する物体とすることで広範囲に亘って高精度なＣＴ値検出を可能としている。また、この目的物体はプラス方向に離れるほど好ましいが、その限界として各Ｘ線ＣＴ装置のＣＴ値検出限界を目的物体に相当するＣＴ値とすることで目的物体の選択を容易にしている。したがって、補助キャリブレーションの目的物体に相当するCT値は水に相当するCT値(＝０)よりも大きいことが好ましく、さらに、人体特有のＣＴ値限界としては、歯が最もＣＴ値が大きいと考えた場合、少なくともエナメル質のＣＴ値に相当する目的物体を選択することで所望される範囲内でのＣＴ値を精緻に検出可能としている。
【００２０】
また、上記一のＸ線ＣＴ装置において広範囲の被検体部位でＣＴ値検出の精度を上げることに注目したが、本発明の他のＸ線ＣＴ装置では医師等が特にＣＴ値検出を所望する材質近傍での検出ＣＴ値精度を高めることに注目している。本発明の他のＸ線ＣＴ装置では、ＣＴ値検出を所望する材質そのものに近いＣＴ値に相当する目的物体のキャリブレーションデータを取得する。これにより医師等が特に見たい部位（又は外部物体）について特に高精度なＣＴ値検出をさせることが可能である。さらに、本発明のＸ線ＣＴ装置を歯科用Ｘ線ＣＴ装置として用いる場合、例えば歯科で特に注目する歯や骨に近いＣＴ値の物質を選択すると、歯科医師にとって非常に組織構造を理解し易い断層像を提供することが可能となる。
【発明を実施するための最良の形態】
【００２１】
以下、本発明のＸ線ＣＴ装置の一例として歯科用Ｘ線ＣＴ装置の実施形態を説明する。
まず、前提として一般的な歯科用Ｘ線ＣＴ装置全体の構成の１つを概説する。図１を参照すれば一般的な歯科用Ｘ線ＣＴ装置１０が例示されている。この歯科用Ｘ線ＣＴ装置の本体１０には、底部に基台１２が設けられ、この基台１２から上方に支柱１４が延びている。支柱１４は、上端で屈曲されて水平方向に延びる水平アーム１６を設けている。また、水平アーム１６の下部には水平アーム１６に対して旋回自在な旋回アーム１８が取付けられている。また、患者を座らせる椅子２９がある。
【００２２】
また、旋回アーム１８は両端部で下方に屈曲された吊り下げ形状で構成され、両端部下方でそれぞれ互いに対向する位置にＸ線源２０と、Ｘ線検出器２２とが装着されている。このＸ線源２０は、Ｘ線検出器２０方向に向かって拡散するコーンビーム状のＸ線が照射される。また、Ｘ線検出器２２は、Ｘ線源２０から照射されたＸ線をＸ線源２０側の検出面２２ａで収集する二次元Ｘ線検出器（以下、「Ｘ線検出器２２」を「二次元検出器２２」とも称する）である。
【００２３】
また、支柱１４に固定アーム２４が設けられ、固定アーム２４は水平アーム１６と並列下方で支柱１４から水平に延びている。固定アーム２４の先端部には、被写体保持手段が取り付けられ、例えば、患者の前後方向を位置決め固定するための水平バー２６や、患者の顎部を下方に位置決め固定するための顎受け器２８が取り付けられている。
【００２４】
このＸ線ＣＴ撮像装置１０においてＣＴ撮影するときには、まず患者の顎部を水平バー２６等の被写体保持手段に固定し、患者の身長を考慮して良好な位置に顎部が位置決めされるよう椅子２９を昇降させる。そして、顎部が位置決めされると撮影スタンバイ状態となる。撮影時にはＸ線源２０から被写体保持手段に位置決めされた患者の顎部にＸ線を照射しながら旋回アーム１８が旋回して透過したＸ線をＸ線検出器２２で検出する。なお、本実施の形態では図１に示すＸ線ＣＴ撮像装置１０を例示して説明したので椅子２９により患者を位置決めさせているが、患者を中心として、その周囲を旋回アーム１８が相対的に回転する位置関係あれば他の構成でも良い。例えば、患者を座らせる椅子２９を昇降による位置決め機能だけでなく旋回機能も付与し、患者自体をＸ線源とＸ線検出器との間で回転させる構成でも良い。
【００２５】
次に、図２はＸ線ＣＴ撮像装置１０の撮像機能の全体構成を示している。上述するようにＸ線ＣＴ撮像装置１０は、Ｘ線源２０と、Ｘ線検出器２２とが被写体たる患者の顎部３０に対して略対向して位置決めされるように配置され、旋回アーム１８がＸ線源２０とＸ線検出器２２とのそれぞれを吊り下げ配置している。また、患者の顎部３０の固定は、上記水平バー２６や顎受け器２８等で構成された被写体保持手段で行っている。また、このＸ線ＣＴ撮像装置１０は、Ｘ線画像の処理を行って表示装置３２に表示するが、この制御構成として概ね、Ｘ線画像処理制御の全体を制御する画像処理手段３４、やオペレータが撮像操作を行うための操作部３６とを備えている。この操作部３６には、本装置１０を操作するための操作ガイドなどを簡易に表示する表示手段３６ｂを備え、この表示手段３６ｂの表示に従って、撮像操作を行うための操作パネル３６ａを有している。
【００２６】
また、Ｘ線源２０は、発生するＸ線ビームのエネルギー等を調整し、所望のビーム幅のＸ線コーンビーム３８が放射できるようにするＸ線ビームコントローラ４０を備えている。ここでＸ線検出器２２は、Ｘ線源２０から照射され被写体の顎部を透過したＸ線を受光検知し、このＸ線透過画像データとしてのＸ線強度データをアナログ電気データ、又はそれ自身でＡ／Ｄ変換器を備える場合にはデジタルデータとして出力する機能を有している。具体的には、II管とCCD（固体撮像素子）カメラの組み合わせによるものや、FPD、IPを使用するものが存在する。例えば、II管を使用する場合、II管によりX線が可視光に変換され、この可視光を光電変換器により電子に変換して電子増倍され、増倍された電子を蛍光体により可視光に変換してからレンズを通して２次元配列されたＣＣＤカメラで撮影する構成がある。
【００２７】
また、旋回アーム１８には、アーム回転モータ４２が設けられ、旋回中心１８ａの周りに等速あるいは可変速で旋回できるようになっている。このアーム回転モータ４２は、旋回アーム１８の旋回駆動手段を構成しており、サーボモータや、パルスモータなどのように、その回転速度、回転位置を自由に制御することができるモータを用い、また、旋回アーム１８のＸ線旋回中心１８ａに軸直結で設置されている。従って、旋回アーム１８を旋回中心１８ａの周りに回転をさせることができるとともに、その回転位置も時間軸に沿って知ることができるので、タイミングを合わせて、Ｘ線検出器２２でＸ線透過画像を取り出すのに都合がよく、また、芯振れが少ないため本発明のＸ線ＣＴ撮像装置１０を有効に実施することができる。
【００２８】
旋回アーム１８のＸ線旋回中心１８ａの部分は、中空部１８ｂとなっている。この中空部１８ｂは、その内部に旋回アーム１８に吊り下げ配置されたＸ線源２０とＸ線検出器２２と、上述する操作部３６や画像処理手段３４との間の接続線を配置する。
【００２９】
次に、画像処理手段３４は、画像処理解析にも高速で作動可能な演算プロセッサで構成される演算処理手段３４ａ、Ａ／Ｄ変換手段３４ｃ、フレームメモリ３４ｄ、演算用メモリ３４ｅを備えている。この表示装置３２は、画像処理手段３４で得られたＸ線ＣＴ撮影によるＸ線断層画像を表示すると共に、この表示された曲面Ｘ線断層画像上などで、画像上の特定部分の位置指定や選択などを行うことができる。
【００３０】
そして、画像処理手段３４は、Ｘ線源２０、Ｘ線検出器２２、アーム回転モータ４２等、操作部３６、表示装置３２と接続され、これらからのデータを処理し、制御を行っている。詳細には、Ｘ線検出器２２から得たＸ線強度データが、Ａ／Ｄ変換手段３４ｃによってデジタル信号に変換され、フレームメモリ３４ｄに格納される。フレームメモリ３４ｄに格納された複数のＸ線強度データは、演算用メモリ３４ｅに記憶され、その記憶されたＸ線強度データに対して、断層画像生成のための所定の演算処理が演算処理手段３４ａによって行われ、撮影関心領域の３次元的なＸ線吸収係数（ＣＴ値）も算出され、この３次元的なＸ線吸収係数から、種々の画像が再構成されて、表示装置３２において表示され、また、必要に応じて、外部記憶手段（図示せず）に記憶されることとなる。なお、本発明で問題とするキャリブレーションデータは、キャリブレーション用の撮影によりフレームメモリ３４ｄを介して外部記憶手段に記憶されているが、キャリブレーション演算過程において外部記憶手段から演算用メモリ３４ｅに記憶され、演算処理手段３４ａにおいて実行されるキャリブレーション演算に用いられることとなる。
【００３１】
次に、歯科用Ｘ線ＣＴ装置１０における画像再構成の概念について広くＸ線ＣＴ装置として図３を用いて説明する。図３は図２における演算処理手段３４ａで行われる画像処理フロー図と考える。
【００３２】
まず、被検体（図２における歯顎顔面３０に相当：以下、広く「被検体３０」として説明する）の撮影し、画像処理手段３４（図２参照）によりＸ線検出器２２で取り込まれた投影データ（生データ）を取得する（Ｓ１）。次にこの投影データに対してオフセット補正（Ｓ２）を行う。オフセット補正（Ｓ２）された後は、Ｌｏｇ変換（Ｓ３）が行われる。
【００３３】
次にＬｏｇ変換処理（Ｓ３）された計測データに対してエアキャリブレーションがかけられる（Ｓ３）。このキャリブレーションは、Ｘ線検出器２２の照射されるＸ線強度に対する感度がチャンネルごとに異なることを補正するものであり、予め求められた記憶されたキャリブレーションデータにおける各チャンネル値に基づいて補正する演算処理である。
【００３４】
その後、画像再構成が行われ（Ｓ４）、最終的な断層像に再構成される。このとき、再構成された断層像データはＸ線吸収率のデータであるためＣＴ値に換算する補正がなされる。例えばキャリブレーションした三点を通る曲線または直線の補正がなされる（Ｓ５）。そして、表示装置３２（図２参照）により画像表示が行われる（Ｓ６）。
【００３５】
この演算処理の前提としてそれぞれのキャリブレーションデータを取得し記憶しておくキャリブレーションデータ記憶手段が必要となる。ここでは、水ファントム、空気層、所定の目的物体の撮影をもとにして、それぞれ水キャリブレーションデータ記憶手段、エアキャリブレーションデータ記憶手段、補助キャリブレーションデータ記憶手段とが存在することとなる。
【００３６】
まず、水キャリブレーションデータ記憶手段では、撮影範囲内に配設した水ファントムを撮影した際のＸ線強度データを水キャリブレーションデータとして取得し記憶する。この手段でのデータ取得・記憶工程は、主にメーカメンテナンス時に行われる。また、エアキャリブレーションデータ記憶手段では、撮影範囲内の空気層を撮影した際のＸ線強度データをエアキャリブレーションデータとして取得し記憶する。この手段でのデータ取得・記憶工程は、通常、ユーザが撮影前に行うものである。さらに、補助キャリブレーションデータ記憶手段では、撮影範囲内に配設した所定の目的物体を撮影した際のＸ線強度データを補助キャリブレーションデータとして取得し記憶する。
【００３７】
このとき補助キャリブレーションデータ記憶手段で記憶させる撮影対象としては、所定の物体（「目的物体」と称する）を使用する。この目的物体としては、別途、補助キャリブレーション用として選択され撮影範囲内に配置されるものであり、例えば、Ｘ線ＣＴ装置１０の性能ごとに検出可能な限界の大きなＣＴ値、好ましくは限界の近傍のＣＴ値に相当する材質の目的物体が選択され、さらに＋１０００以上に相当するＣＴ値の材質が選択される。また、他の例の目的物体として医師等が特にＣＴ値検出を所望する材質そのものに近いＣＴ値に相当する材質が選択される。
【００３８】
図１に示す歯科用Ｘ線ＣＴ装置１０の場合、代表的には歯科で特に注目する歯列組織や人工骨に近いＣＴ値の材質として、ハイドロキシアパタイトが選択される。
【００３９】
以上、本発明のＸ線ＣＴ装置おける実施形態として歯科用Ｘ線ＣＴ装置を例に説明してきた。しかしながら、本発明のＸ線ＣＴ装置は、従来、水及び／または空気のみのキャリブレーションデータでキャリブレーションしていた問題点の解決としてそれ以外のキャリブレーションデータを付加した点、さらにその具体的な撮影対象（目的物体）を提供した点が大きな特徴であり、特に歯科用Ｘ線ＣＴ装置に限るものでない。本発明のＸ線ＣＴ装置は、Ｘ線ＣＴ装置個々の規格に応じて撮影可能な最大のＣＴ値に相当する物体、又は医師等が検出を所望する物体のＣＴ値に相当（近似）するＣＴ値の物体、を撮影したキャリブレーションデータを付加した新たなキャリブレーションを実行する種々のＸ線ＣＴ装置の実施形態が存在することは当業者にとって明白であろう。
【図面の簡単な説明】
【００４０】
【図１】一般的なＸ線ＣＴ装置の一つを例示した斜視図である。
【図２】図１のＸ線ＣＴ装置の構成の概要を示した概念図である。
【図３】本発明のＸ線ＣＴ装置におけるキャリブレーション演算を含んだ画像の再構成工程のフロー図である。
【符号の説明】
【００４１】
１０  Ｘ線ＣＴ装置
２０  Ｘ線源
２２  Ｘ線検出器
Ｓ３  キャリブレーション／Ｌｏｇ変換
【図１】
2009142382.tif 000003
【図２】
2009142382.tif 000004
【図３】
2009142382.tif 000005